(57)【要約】  潤滑油組成物は連続する数の炭素原子を含み、および下記式：    ２８×Ｌｎ（１００℃における動粘度）＋９５により計算される粘度指数因子より大きい粘度指数を有する基油を包含する。潤滑油組成物はまた、１５重量％より多い量の清浄分散剤抑制剤（ＤＩ）添加剤パッケージを包含する。潤滑油組成物は、−３５℃において６２００ｍＰａ・ｓ未満の動力学粘度、−４０℃において６０，０００ｍＰａ・ｓ未満のミニ−ロータリイ粘度（ＭＲＶ）および−３５℃において６２００ｍＰａ・ｓ未満の寒冷クランキングシュミレーター（ＣＣＳ）粘度を有する。
2011506677.tif 000002
【特許請求の範囲】
【請求項１】
ａ）連続する数の炭素原子を含み、および下記式：
２８×Ｌｎ（１００℃における動粘度）＋９５
により計算される粘度指数因子より大きい粘度指数を有する基油；および
ｂ）１５重量％より多い量のＤＩ添加剤パッケージ；
を含む潤滑油組成物であって、−３５℃において６２００ｍＰａ・ｓ未満の動力学粘度；−４０℃において６０，０００ｍＰａ・ｓ未満のＭＲＶ；および−３５℃において６２００ｍＰａ・ｓ未満のＣＣＳ粘度を有する潤滑油組成物。
【請求項２】
潤滑油組成物が０．１重量％未満の量の流動点降下剤を含む、請求項１に記載の潤滑油組成物。
【請求項３】
基油が１０重量％未満の量のエステルを含む、請求項１に記載の潤滑油組成物。
【請求項４】
基油が１０重量％より多く、かつ７０重量％未満の量の環状パラフィンを含む、請求項１に記載の潤滑油組成物。
【請求項５】
基油が５より大きい多環状パラフィンに対する単環状パラフィンの比を有する、請求項１に記載の潤滑油組成物。
【請求項６】
基油が、１５ｍｍ２／秒の動粘度および４０％の滑走対回転比で測定した場合、０．０２３未満の牽引摩擦係数を有する、請求項１に記載の潤滑油組成物。
【請求項７】
基油が下記式：
２８×Ｌｎ（１００℃における動粘度）＋１０５
により計算される粘度指数因子より大きい粘度指数を有する、請求項１に記載の潤滑油組成物。
【請求項８】
基油がフィッシャー−トロプシュワックスから製造される、請求項１に記載の潤滑油組成物。
【請求項９】
基油が１００℃において３．５〜４．５ｍｍ２／秒の粘度を有する、請求項１に記載の潤滑油組成物。
【請求項１０】
潤滑油組成物が７重量％未満の量でＶＩ改良剤を含む、請求項１に記載の潤滑油組成物。
【請求項１１】
潤滑油組成物が５．６重量％未満の量のＶＩ改良剤を含む、請求項１０に記載の潤滑油組成物。
【請求項１２】
潤滑油組成物が−４０℃において２５，０００ｍＰａ・ｓ未満のＭＲＶを有する、請求項１に記載の潤滑油組成物。
【請求項１３】
潤滑油組成物が−３５℃において５２００ｍＰａ・ｓ未満のＣＣＳ粘度を有する、請求項１に記載の潤滑油組成物。
【請求項１４】
基油が水素添加異性化脱ロウによって脱ロウされた高パラフィン系供給原料から誘導される、請求項１に記載の潤滑油組成物。
【請求項１５】
潤滑油組成物が２００より大きい粘度指数を有する、請求項１に記載の潤滑油組成物。
【請求項１６】
基油が標準化を伴うｎ−ｄ−Ｍによってナフテン系炭素２〜１０重量％、パラフィン系炭素９０〜９８重量％および１重量％未満の芳香族炭素を含む、請求項１に記載の潤滑油組成物。
【請求項１７】
潤滑油組成物が２０重量％未満の量でＤＩ添加剤パッケージを含む、請求項１に記載の潤滑油組成物。
【請求項１８】
潤滑油組成物の製造方法において、
ａ）連続する数の炭素原子を含み、および下記式：
２８×Ｌｎ（１００℃における動粘度）＋９５
により計算される粘度指数因子より大きい粘度指数を有する基油を入手し；次いで
ｂ）このような基油を１５重量％より多い量のＤＩ添加剤パッケージと混合する；
ことを含む方法であって；
当該潤滑油組成物が、−３５℃において６２００ｍＰａ・ｓ未満の動力学粘度；−４０℃において６０，０００ｍＰａ・ｓ未満のＭＲＶ；および−３５℃において６２００ｍＰａ・ｓ未満のＣＣＳ粘度を有する、
潤滑油組成物の製造方法。
【請求項１９】
高パラフィン系供給原料を水素添加異性化脱ロウし、基油を誘導することをさらに含む、請求項１８に記載の方法。
【発明の詳細な説明】
【技術分野】
【０００１】
（技術分野）
多品質ヘビーデューティモーターオイル（ｈｅａｖｙ  ｄｕｔｙ  ｍｏｔｏｒ  ｏｉｌ）（ＨＤＭＯ）、例えばＳＡＥ０Ｗ−３０多品質ＨＤＭＯとして使用するのに適する潤滑油組成物を提供する。具体例において、本発明の潤滑油組成物はフィッシャー−トロプシュ由来基油を包含する。
【背景技術】
【０００２】
（背景）
自動車、ディーゼルエンジン、天然ガスエンジン、車軸、トランスミッションおよび工業用途を包含する種々の用途に使用される潤滑油組成物およびグリース類は２種の一般的成分、すなわち基油および添加剤からなる。基油はこれらの潤滑油組成物の主要成分であり、潤滑油組成物の性質に有意の影響を及ぼす。一般に、広範な種々の潤滑油組成物の製造には各基油および各潤滑油用添加剤を変えることによって数種の基油が使用されている。
【０００３】
中でも、オリジナル  イクイプメント  マニファクチャラーズ（ｏｒｉｇｉｎａｌ  ｅｑｕｉｐｍｅｎｔ  ｍａｎｕｆａｃｔｕｒｅｒｓ）（ＯＥＭｓ）、アメリカン  ペトロレウム  インスティチュート（Ａｍｅｒｉｃａｎ  Ｐｅｔｒｏｌｅｕｍ  Ｉｎｓｔｉｔｕｔｅ）（ＡＰＩ）、アソシエーション  デス  コンストラクチャース  デオートモビルス（Ａｓｓｏｃｉａｔｉｏｎ  ｄｅｓ  Ｃｏｎｓｔｒｕｃｔｅｕｒｓ  ｄ’Ａｕｔｏｍｏｂｉｌｅｓ）（ＡＣＥＡ）、アメリカン  ソサエティ  オブ  テスティング  アンド  マテリアルス（Ａｍｅｒｉｃａｎ  Ｓｏｃｉｅｔｙ  ｏｆ  Ｔｅｓｔｉｎｇ  ａｎｄ  Ｍａｔｅｒｉａｌｓ）（ＡＳＴＭ）、ソサエティ  オブ  オートモティブ  エンジニアース（  Ｓｏｃｉｅｔｙ  ｏｆ  Ａｕｔｏｍｏｔｉｖｅ  Ｅｎｇｉｎｅｅｒｓ）（ＳＡＥ）、およびナショナル  ルブリケーティング  グリース  インスティチュート（Ｎａｔｉｏｎａｌ  Ｌｕｂｒｉｃａｔｉｎｇ  Ｇｒｅａｓｅ  Ｉｎｓｔｉｔｕｔｅ）（ＮＬＧＩ）を包含する多くの管理機関は、基油および潤滑油組成物に係わる仕様を規定している。
【０００４】
米国で生産され、販売されている乗物の燃料経済性は連邦機関によって統制されている。自動車製造業者が彼等の乗物の燃料経済性を改善する試みに使用している戦略の一つは、彼等の乗物に燃料−有効エンジン用潤滑油を使用することにある。エンジン潤滑油における燃料効率の改善は、摩擦改良剤を添加し、駆動するエンジン部品間の摩擦を減少させることによるか、または別法として、低粘度品質のエンジン用潤滑油を使用し、エネルギー損失を最少にすることによって達成されている。
【０００５】
合成ＳＡＥ  ０Ｗ−３０  ＨＤＭＯ類はより高粘度品質に調合された油、例えばＳＡＥ  １５Ｗ−４０などに比較し良好な燃料経済性をもたらす。合成ＳＡＥ  ０Ｗ−３０  ＨＤＭＯ類は極めて寒冷の気候状態を体験する地域で使用される。合成ＳＡＥ  ０Ｗ−３０  ＨＤＭＯ類は代表的に、高価な合成基材、例えばポリアルファオレフィン（ＰＳＯ類）およびエステルなどを用いて調合し、所望の低温物性を得ている。
【発明の概要】
【発明が解決しようとする課題】
【０００６】
受容される低温物性を有する潤滑油組成物に望まれることは、高価な合成原料、例えばポリアルファオレフィン（ＰＳＯ類）およびエステルなどを包含させる必要がなく、および燃料経済性の改善を示すことにある。
【課題を解決するための手段】
【０００７】
（要旨）
基油を含む潤滑油組成物が提供され、この組成物は連続する数の炭素原子を含み、下記式により計算される粘度指数因子（Ｖｉｓｃｏｓｉｔｙ  Ｉｎｄｅｘ  Ｆａｃｔｏｒ）より大きい粘度指数を有する：
２８×Ｌｎ（１００℃における動粘度）＋９５
本発明による潤滑油組成物はまた、１５重量％より多い量で清浄分散剤抑制剤（ＤＩ）添加剤パッケージ（ｄｅｔｅｒｇｅｎｔ  ｉｎｈｉｂｉｔｏｒ  ａｄｄｉｔｉｖｅ  ｐａｃｋａｇｅ）を含む。具体例において、本発明による潤滑油組成物は２５重量％未満、例えば２０重量％未満の量で清浄分散剤抑制剤（ＤＩ）添加剤パッケージを含む。本発明による潤滑油組成物は、−３５℃において６２００ｍＰａ・ｓ未満の動力学粘度（ｄｙｎａｍｉｃ  ｖｉｓｃｏｓｉｔｙ）、−４０℃において６０，０００ｍＰａ・ｓ未満のミニ−ロータリイ粘度（Ｍｉｎｉ−Ｒｏｔａｒｙ  Ｖｉｓｃｏｓｉｔｙ）（ＭＲＶ）および−３５℃において６２００ｍＰａ・ｓ未満の寒冷クランキングシュミレーター（ＣＣＳ）粘度（Ｃｏｌｄ  Ｃｒａｎｋｉｎｇ  Ｓｉｍｕｌａｔｏｒ  Ｖｉｓｃｏｓｉｔｙ）を有する。
【０００８】
潤滑油組成物の製造方法が提供され、この方法は連続する数の炭素原子を含み、および下記式：
２８×Ｌｎ（１００℃における動粘度）＋９５
により計算される粘度指数因子より大きい粘度指数を有する基油を入手し、次いでこのような基油を１５重量％より多い量の清浄分散剤抑制剤（ＤＩ）添加剤パッケージと混合することを含んでいる。潤滑油組成物は２５重量％未満、例えば２０重量％未満の量で清浄分散剤抑制剤（ＤＩ）添加剤パッケージを含む。本発明による潤滑油組成物は、−３５℃において６２００ｍＰａ・ｓ未満の動力学粘度、−４０℃において６０，０００ｍＰａ・ｓ未満のミニ−ロータリイ粘度（ＭＲＶ）および−３５℃において６２００ｍＰａ・ｓ未満の寒冷クランキングシュミレーター（ＣＣＳ）粘度を有する。
【図面の簡単な説明】
【０００９】
（図面の簡単な説明）
【図１】種々の被験潤滑油組成物に係わる牽引摩擦係数（ｔｒａｃｔｉｏｎ  ｃｏｅｆｆｉｃｉｅｎｔ）を示すグラフ。
【図２】種々の被験潤滑油組成物に係わる牽引摩擦係数を示すグラフ。
【発明を実施するための形態】
【００１０】
（詳細な説明）
驚くべきことに、連続する数の炭素原子を含む基油を使用し、ＳＡＥ  Ｊ３００（２００４年改定）に従い表１に示されているＳＡＥ  ０Ｗ−３０の粘度法の要件に適合する潤滑油組成物を生成できることが見出された。
【００１１】
【表１】
2011506677.tif 000003
【００１２】
具体例において、連続する数の炭素原子を含む基油は、高い粘度指数（ＶＩ）を有する低粘度フィッシャー−トロプシュ由来潤滑油用基油である。本発明による組成物は低温物性に対し有害に作用することがある添加剤（詳細には、ヘビーデューティモーターオイル用に調合されているＤＩ添加剤パッケージ）を有意の量で包含しているにもかかわらず、フィッシャー−トロプシュ由来潤滑油用基油の良好な低温物性（すなわち、低いＣＣＳ粘度および低いＭＲＶ）が当該潤滑油組成物において示される。有意の量のＤＩパッケージを使用することによって、さらに苛酷な駆動条件下においても、および消耗と消耗とのさらに長い使用期間にわたり当該潤滑油組成物を保持することができるような耐久力を有する量の、添加剤を与える。本明細書に記載されているように、本発明による組成物は有意の量のＤＩパッケージを含有することができ、良好な低温物性を保持することができる。
【００１３】
本明細書に記載されているフィッシャー−トロプシュ由来潤滑油基油を含有する潤滑油組成物は、慣用のグループＩＩＩ（Ｇｒｏｕｐ  ＩＩＩ）またはグループＩＩ（Ｇｒｏｕｐ  ＩＩ）基材を含有する潤滑油組成物よりも実質的に高い燃料効率を有することがまた見出された。特に、フィッシャー−トロプシュ由来潤滑油用基油を含有する潤滑油組成物は慣用のグループＩＩＩまたはグループＩＩ基材を含有する潤滑油組成物と比較した場合、低い牽引摩擦係数（ｔｒａｃｔｉｏｎ  ｃｏｅｆｆｉｃｉｅｎｔ）を示した。
【００１４】
ＰＡＯ油
本明細書に記載されているように、本発明における基油は連続する数の炭素原子を含んでいる。このような基油に反して、ＰＡＯ油は偶数の炭素数を有する線状アルファオレフィン、典型的には１−デセンのオリゴマー化生成物である。従って、ＰＡＯ油分子は、線状アルファオレフィン出発モノマー中の炭素原子数の倍数によって炭素原子数が相互に相違している偶数の炭素数を有する炭化水素分子の混合物を含んでいる。偶数の炭素数を有する線状アルファオレフィンモノマー（例えば、デセンおよびドデセン）の混合物をオリゴマー化し、重質潤滑油用原料基油を形成した場合でも、生成する炭化水素分子中の炭素原子の数は依然として、偶数の炭素原子数を有する。この特徴は偶数の炭素原子数および奇数の炭素原子数の両方を有する炭化水素分子を含み、連続する数の炭素原子数（例えば、１、２、３、４、５、６、７およびそれ以上の数の炭素原子）によって相互に相違している本発明の潤滑油組成物の基油の炭化水素分子における連続する数の炭素原子の混合物とは相違している。
【００１５】
本発明における潤滑油組成物の基油の炭化水素分子は連続する数の炭素原子により相互に相違していることから、順次数の炭素原子をまた有するワックス状供給原料がもたらされる。広い沸点範囲を有するワックス状供給原料から生成される生成物はいずれも、順次数の炭素原子をまた有し、ワックス状供給原料の水素添加異性化によっては生成されないＰＡＯおよびその他の合成品とは根本的に相違している。
【００１６】
一例として、フィッシャー−トロプシュ炭化水素合成反応において、炭素原子源はＣＯであり、この炭化水素分子は一度に１個ずつの炭素原子から形成される。石油由来ワックス状供給原料はまた、順次数の炭素数を有する。ＰＡＯを基材とする油に対して、本発明の潤滑油組成物の基油の分子は短い分枝鎖を有する比較的長い幹鎖を含むさらに線状の構造を有する。古典的参考書の説明では、ＰＡＯは星型分子、特にトリデカンであり、この分子は３個のデカン分子が中心点で結合しているものであると説明されている。星型分子は理論上のことであるが、それでもＰＡＯ分子は本発明による潤滑油組成物の基油を構成する炭化水素分子に比較し、さらに数少なく、またさらに長い分枝鎖を有する。
【００１７】
フィッシャー−トロプシュ由来基油
本明細書に記載されているように、フィッシャー−トロプシュ炭化水素合成は、本発明による潤滑油組成物に用いられる潤滑油用基油の供給源の一つである。接触水素添加異性化によって生成されるフィッシャー−トロプシュ由来基油は優れた酸化安定性、低い揮発度、および高い粘度指数を有する。フィッシャー−トロプシュ由来基油は９５重量％より多い、または９９重量％より多い、または９９．５重量％より多い割合の飽和度を有する。このことは、これらを潤滑油組成物に従来使用されていた大部分の水素添加分解された基油と相違するものとしている。それらの良好な性質によって、フィッシャー−トロプシュ由来基油は潤滑油組成物に配合することができる。具体例において、フィッシャー−トロプシュ由来基油は、それらの環状パラフィン官能基の含有量によって固有の良好な潤滑油特性を有し、従って自然の潤滑性、磨耗耐性、溶解力およびシール適合性を有する。フィッシャー−トロプシュ由来基油はまた、ナフタレン系および溶剤中性基油に充分に適合し、また別のタイプの基油と組合せた場合、前記潤滑油特性がさらに強化されている基油ブレンドをもたらす。
【００１８】
定義および用語
本明細書全体を通して下記用語を使用し、またこれらの用語は、別段の記載がないかぎり、下記意味を有する。
【００１９】
「フィッシャー−トロプシュ由来」の用語は、フィッシャー−トロプシュ法の或る段階から発生するか、または或る段階で生成される生成物、フラクションまたは供給原料を意味する。
【００２０】
「石油由来」の用語は、石油原油または非揮発性残留部分である残留燃料からの気体状オーバーヘッド流から生じる生成物、フラクションまたは供給原料を意味する。石油由来生成物、フラクションまたは供給原料の供給源はガス田濃縮物質から得ることができる。
【００２１】
高パラフィン系ワックス（ｈｉｇｈｌｙ  ｐａｒａｆｆｉｎｉｃ  ｗａｘ）は、一般に４０重量％より多いが、５０重量％より多いこともでき、あるいは７５重量％より多いことさえあり、かつ１００重量％または９９重量％未満の高いｎ−パラフィン含有量を有するワックスを意味する。高パラフィン系ワックスの例はスラックワックス、脱油スラックワックス、精製ロウ下油、ワックス状抽残油、ｎ−パラフィンワックス、ＮＡＯワックス、化学工場処理で生成されるワックス、脱油された石油由来ワックス、微結晶ワックス、フィッシャー−トロプシュワックス、およびその混合物を包含する。
【００２２】
「高パラフィン系ワックスから誘導される」の用語は、高パラフィン系ワックスから発生されるか、または或る段階で生成される生成物、フラクションまたは供給原料を意味する。
【００２３】
芳香族物質は、脱局所化電子の非断続雲（ｕｎｉｎｔｅｒｒｕｐｔｅｄ  ｃｌｏｕｄ）を分け合う少なくとも一群の原子を含有し、この原子群中の脱局所化電子の数が４ｎ＋２のハッケル（Ｈｕｃｋｅｌ）の原則に対する解答（例えば、ｎ＝６電子に対し１など）に相当する全ての炭化水素系化合物を意味する。代表的例は、これらに制限されないものとして、ベンゼン、ビフェニル、ナフタレンなどを包含する。
【００２４】
環状パラフィン官能基を有する分子は、単環状または縮合多環状飽和炭化水素基であるか、またはこのような基を１個または２個以上の置換基として含有する全ての分子を意味する。環状パラフィン基は任意に、１個または２個以上の、例えば１〜３個の置換基により置換されていてもよい。代表的例は、これらに制限されないものとして、シクロプロピル、シクロブチル、シクロヘキシル、シクロペンチル、シクロヘプチル、デカヒドロナフタレン、オクタヒドロペンタレン、（ペンタデカン−６−イル）シクロヘキサン、３，７，１０−トリシクロヘキシルペンタデカン、デカヒドロ−１−（ペンタデカン−６−イル）ナフタレンなどを包含する。
【００２５】
単環状パラフィン官能基を有する分子は、３〜７個の環炭素の単環状飽和炭化水素基である全ての分子、または３〜７個の環炭素を有する１個の単環状飽和炭化水素基により置換されている全ての分子を意味する。この環状パラフィン基は任意に、１個または２個以上、例えば１〜３個の置換基により置換されていてもよい。代表的例は、これらに制限されないものとして、シクロプロピル、シクロブチル、シクロヘキシル、シクロペンチル、シクロヘプチル、（ペンタデカン−６−イル）シクロヘキサンなどを包含する。
【００２６】
多環状パラフィン官能基を有する分子は、２個または３個以上の縮合環の縮合多環状飽和炭化水素である全ての分子、２個または３個以上の縮合環を有する１個または２個以上の縮合多環状飽和炭化水素環状基により置換されている全ての分子、または３〜７個の環炭素を有する１個以上の単環状飽和炭化水素により置換されている全ての分子を意味する。縮合多環状飽和炭化水素環状基はしばしば、２縮合環を有する。これらの環状パラフィン基は任意に、１個または２個以上、例えば１〜３個の置換基により置換されていてもよい。代表的例は、これらに制限されないものとして、デカヒドロナフタレン、オクタヒドロペンタレン、３，７，１０−トリシクロヘキシルペンタデカン、デカヒドロ−１−（ペンタデカン−６−イル）ナフタレンなどを包含する。
【００２７】
ブルックフィールド粘度（Ｂｒｏｏｋｆｉｅｌｄ  Ｖｉｓｃｏｓｉｔｙ）：自動車用液体潤滑剤の低温における低せん断速度粘度（ｌｏｗ−ｓｈｅａｒ−ｒａｔｅ  ｖｉｓｃｏｓｉｔｙ）の測定には、ＡＳＴＭ  Ｄ２９８３−０４ａを使用する。自動車用トランスミッション液、ギアオイル、トルクおよびトラクター液、並びに工業用および自動車用油圧油の低温における低せん断速度粘度は多くの場合、ブルックフィールド粘度により特定される。
【００２８】
動粘度は、引力下における液体の流動に対する抵抗性を示す測定値である。多くの基油、このような基油から製造された潤滑油組成物、および装置の正常な動きは、使用される液体の適当な粘度に依存する。動粘度は、ＡＳＴＭ  Ｄ４４５−０６により測定される。これらの結果はｍｍ２／秒で報告される。
【００２９】
粘度指数（Ｖｉｓｃｏｓｉｔｙ  ｉｎｄｅｘ）（ＶＩ）は、油の動粘度に対する温度変化の作用を示す経験的、無単位数である。粘度指数は、ＡＳＴＭ  Ｄ２２７０−０４により測定される。
【００３０】
流動点は、基油試料が注意深く制御された条件下に流動を開始する温度を示す測定値である。流動点は、ＡＳＴＭ  Ｄ５９５９−０２に記載のとおりにして測定することができる。これらの結果は、摂氏度で報告される。かなり多くの市販の基油は流動点にかかわる仕様を有する。基油が低い流動点を有する場合、この基油はまた、その他の良好な低温物性、例えば低い曇り点、低い寒冷時フィルター閉塞点および低温クランキング粘度を同様に有する。
【００３１】
ノアク（Ｎｏａｃｋ）揮発度は通常、ＡＳＴＭ  Ｄ５８００−０５方法Ｂに従い試験される。ノアク揮発度を算定するためのさらに常習的な方法およびＡＳＴＭ  Ｄ５８００−０５と充分に関連する方法はＡＳＴＭ  Ｄ６３７５−０５により熱重量分析機（ＴＧＡ）試験を用いることによる。別段の記載がないかぎり、本明細書全体を通してＴＧＡノアク揮発度を使用する。
【００３２】
本明細書に記載されている潤滑油組成物の基油はまた、低温および高せん断力下に優れた粘度物性を有し、この性質はこれらを多品質エンジン油で有用なものにする。寒冷クランキングシュミレーター見掛粘度（ｃｏｌｄ−ｃｒａｎｋｉｎｇ  ｓｉｍｕｌａｔｏｒ  ａｐｐａｒｅｎｔ  ｖｉｓｃｏｓｉｔｙ）（ＣＣＳ  ＶＩＳ）は、低温および高せん断力下における基油の粘度にかかわる物性の測定に使用される試験である。ＣＣＳ  ＶＩＳを測定するための試験方法はＡＳＴＭ  Ｄ５２９３−０２である。結果はｍＰａ・ｓで報告される。ＣＣＳ  ＶＩＳは低温エンジンクランキングと関連することが見出されている。最高ＣＣＳ  ＶＩＳにかかわる仕様は２００４年に改定されたＳＡＥ  Ｊ３００により自動車用エンジン油について規定されている。０Ｗ  ＳＡＥ粘度品質エンジン油の最高ＣＣＳ  ＶＩＳは−３５℃において６２００ｍＰａ・ｓである。
【００３３】
ポンパビリティ（ｐｕｍｐａｂｉｌｉｔｙ）のメカニズムに関連するミニ−ロータリイ粘度計（ＭＲＶ）試験、ＡＳＴＭ  Ｄ４６８４−０７は低せん断速度を測定する試験である。遅い試料冷却速度はこの方法の鍵となる特徴である。試料は、加温、ゆっくりした冷却、およびソーキングのサイクルを包含する特定の熱履歴を有するように予備処理する。ＭＲＶは見掛降伏応力を測定する試験である。この試験における閾値より大きい数値は、潜在的空気結合性吸入排出が不十分であるという問題を示す。或る粘度（現在、ＳＡＥ  Ｊ３００  ２００４により６０，０００ｍＰａ・ｓと定められている）以上では、その油は「制限された流動」挙動と称されるメカニズムによってポンパビリティに欠けているものとされることがある。一例として、ＳＡＥ  ０Ｗ油は、無降伏応力で−４０℃において６０，０００ｍＰａ・ｓの最大粘度を有することが要求される。この方法はまた、１〜５０／秒のせん断速度下における見掛粘度を測定する。
【００３４】
高温高せん断速度粘度（ｈｉｇｈｔ  ｔｅｍｐｅｒａｔｕｒｅ  ｈｉｇｔ  ｓｈｅａｒ  ｒａｔｅ  ｖｉｓｃｏｓｉｔｙ）（ＨＴＨＳ）は、燃焼内燃機関内の高度に荷重されたジャーナル軸受に類似する条件下、典型的に１５０℃で１００万／秒における流動に対する液体の抵抗度を示す測定値性である。ＨＴＨＳは、１００℃における低せん断速度動粘度より、指定潤滑油を用いたエンジンがどのように動作するかをより適切に示す指標である。ＨＴＨＳ値は軸受における油膜厚さに直接的に関連する。ＳＡＥ  Ｊ３００  ２００４は、ＡＳＴＭ  Ｄ４６８３、ＡＳＴＭ  Ｄ４７４１またはＡＳＴＭ  Ｄ５４８１のいずれかによって測定されたＨＴＨＳにかかわる現行仕様を包含する。例えば、ＳＡＥ  ２０粘度品質エンジン油は２．６ｍＰａ・ｓの最低ＨＴＨＳを有することが要求される。
【００３５】
走査ブルックフィールド粘度（Ｓｃａｎｎｉｎｇ  Ｂｒｏｏｋｆｉｅｌｄ  Ｖｉｓｃｏｓｉｔｙ）：エンジン油の低温、低せん断速度、粘度／温度依存性の測定には、ＡＳＴＭ  Ｄ５１３３−０５が使用される。エンジン油の低温、低せん断粘度挙動が決定するのは、集水口スクリーン（ｓｕｍｐ  ｉｎｌｅｔ  ｓｃｒｅｅｎ）に、次いで油ポンプに、次いで潤滑を要するエンジン内の部位に、当該油が、寒冷温度が始まった直後または最終的に寒冷温度が始まったときに、エンジン損傷を防止するのに充分な品質をもって流動するか否かである。ＡＳＴＭ  Ｄ５１３３−０５、走査ブルックフィールド粘度技術は、１℃／時間の一定速度で冷却された場合における試料のブルックフィールド粘度を測定する技術である。ＭＲＶと同様に、ＡＳＴＭ  Ｄ５１３３−０５は低温における油のポンパビリティに関連するように見える。この試験は、試料が３０，０００ｍＰａ・ｓに達する温度として定義されるゲル化点を示す。ゲル化指数（ｇｅｌａｔｉｏｎ  ｉｎｄｅｘ）がまた報告され、これは−５℃から最低試験温度までの粘度増加の最大変化率であると定義される。乗用車エンジン油にかかわる最新のＡＰＩ  ＳＭ／ＩＬＳＡＣ  ＧＦ−４仕様は１２の最大ゲル化指数を要求する。
【００３６】
高パラフィン系ワックス
潤滑油組成物の基油の製造に使用される高パラフィン系ワックスは、高いｎ−パラフィン含有量を有し、および連続する数の炭素原子を有する全てのワックスであることができる。具体例において、高パラフィン系ワックスはまた、非常に低い窒素およびイオウレベル、一般に２５ｐｐｍ未満、例えば２０ｐｐｍ未満の総窒素およびイオウ組合せレベルを有する。具体例において、高パラフィン系ワックスの流動点は５０℃より高いか、または６０℃より高い。
【００３７】
高パラフィン系ワックスは低い揮発度、高い粘度指数を有し、およびまた良好な添加剤溶解性およびエラストマー適合性を有する基油が得られるように処理することができる。具体例において、高パラフィン系ワックスはフィッシャー−トロプシュ由来ワックスであり、フィッシャー−トロプシュ基油を提供する。
【００３８】
フィッシャー−トロプシュ合成
フィッシャー−トロプシュ化学において、水素および一酸化炭素は反応性条件下にフィッシャー−トロプシュ触媒との接触によって液体状および気体状炭化水素に変換される。フィッシャー−トロプシュ型反応を行うための条件の例は、当業者にとって周知である。
【００３９】
フィッシャー−トロプシュ合成生成物は、例えば商業用ＳＡＳＯＬ（登録商標）スラリイフェース（Ｓｌｕｒｒｙ  Ｐｈａｓｅ）フィッシャー−トロプシュ技法、商業用ＳＨＥＬＬ（登録商標）ミドルディスチレート（Ｍｉｄｄｌｅ  Ｄｉｓｔｉｌｌａｔｅ）合成（ＳＭＤＳ）法、または非商業用ＥＸＸＯＮ（登録商標）アドバンスドガスコンバージョン（Ａｄｖａｎｃｅｄ  Ｇａｓ  Ｃｏｎｖｅｒｓｉｏｎ）（ＡＧＣ−２１）法などの公知方法によって得ることができる。これらの方法およびその他の詳細は、例えばＥＰ−Ａ−７７６９５９、ＥＰ−Ａ−６６８３４２、ＥＰ−Ｂ−４５０８６０、米国特許第４，９４３，６７２号、同第５，０５９，２９９号、同第５，３４８，９８２号、同第５，７３３，８３９号およびＲＥ３９０７３；米国特許出願公開第２００５／０２２７８６６、ＷＯ−Ａ−９９３４９１７、ＷＯ−Ａ−９９２０７２０およびＷＯ−Ａ−０５１０７９３５に記載されている。フィッシャー−トロプシュ合成生成物は通常、１〜１００個、または１００個以上でさえある炭素原子を有する炭化水素を含み、典型的にパラフィン、オレフィンおよび酸素化生成物を包含する。
【００４０】
スラリイフィッシャー−トロプシュ法は強力に発熱性の合成反応用の優れた熱（および質量）転移特性を利用する方法であり、コバルト触媒を使用する場合、比較的高分子量のパラフィン系炭化水素を生成することができる。
【００４１】
或る種のフィッシャー−トロプシュ触媒は比較的高い鎖延長可能性を備えていることが知られており、この反応生成物は比較的低割合の低分子量（Ｃ２〜８）オレフィンおよび比較的高割合の高分子量（Ｃ３０＋）ワックスを包含する。このような触媒は当業者にとって周知であり、容易に得ることができ、および／または製造することができる。
【００４２】
フィッシャー−トロプシュ法からの生成物は主として、パラフィンを含有する。フィッシャー−トロプシュ反応からの生成物は一般に、軽質反応生成物およびワックス状反応生成物を包含する。このワックス状反応生成物（すなわち、ワックス状フラクション）は、ほとんどがＣ２０＋範囲であり、減少する量のＣ１０までを伴い、約６００°Ｆ以上で沸騰する炭化水素（例えば、真空ガスオイルから重質パラフィンまで）を包含する。
【００４３】
ワックス状反応生成物は一般に、７０重量％より多い割合で正パラフィンを含み、しばしば８０重量％より多い割合で正パラフィンを含む。これは潤滑油組成物用のフィッシャー−トロプシュ由来基油を得る方法に供給原料として使用されるワックス状反応生成物（例えば、ワックス状フラクション）である。
【００４４】
潤滑油組成物用のフィッシャー−トロプシュ由来基油は、水素添加異性化を包含する方法によってフィッシャー−トロプシュ合成原料（ｓｙｎｃｒｕｄｅ）のワックス状フラクションから製造することができる。具体例において、フィッシャー−トロプシュ基油は米国特許出願公開第２００５／０１３３４０９Ａ１および同第２００６／０２８９３３７Ａ１に記載されているような方法によって生成される。具体例において、潤滑油組成物用のフィッシャー−トロプシュ由来基油は、米国特許第７，０１８，５２５号に記載の方法によって生成される。潤滑油組成物用のフィッシャー−トロプシュ由来基油は多くの場合、当該潤滑油組成物の構成成分を受容し、および配合する場所とは相違する場所で製造される。
【００４５】
基油を得る方法
潤滑油組成物の基油は高パラフィン系ワックスを用意し、次いでこの高パラフィン系ワックスを水素添加異性化し、基油を得ることによって製造する。高パラフィン系ワックスは貴金属水素添加成分を含む形状選択型中間孔サイズ分子篩（ｓｈａｐｅ  ｓｅｌｅｃｔｉｖｅ  ｉｎｔｅｒｍｅｄｉａｔｅ  ｐｏｒｅ  ｓｉｚｅ  ｍｏｌｅｃｕｌａｒ  ｓｉｅｖｅ）を使用し、約６００°Ｆ〜７５０°Ｆの条件下に水素添加異性化する。
【００４６】
具体例において、高パラフィン系ワックスはフィッシャー−トロプシュ由来ワックスであり、フィッシャー−トロプシュ由来基油を提供する。フィッシャー−トロプシュ由来基油はフィッシャー−トロプシュ法、引続くフィッシャー−トロプシュ合成原料のワックスフラクションの水素添加異性化によって製造することができる。
【００４７】
水素添加異性化
高パラフィン系ワックスを水素添加異性化を含む方法に付し、潤滑油組成物用の基油を得る。水素添加異性化は分子構造中への分枝鎖の選択的付加によって基油の寒冷流動物性を改良することを意図する処理である。水素添加異性化は理想的には、分解による変換を同時的に最低にしながら、高パラフィン系ワックスの非ワックス状イソ−パラフィンへの高い変換レベルを達成する。具体例において、水素添加異性化の条件は、ワックス状供給原料中の約７００°Ｆ以上で沸騰する化合物の約７００°Ｆ以下で沸騰する化合物への変換が約１０〜５０重量％、例えば１５〜４５重量％に維持されるように制御する。
【００４８】
水素添加異性化は形状選択型中間孔サイズ分子篩を使用して行う。使用される水素添加異性化触媒は、耐火性酸化物支持体上の形状選択型中間孔サイズ分子篩および場合により、触媒として活性な金属水素添加触媒を含む。本明細書で使用されているものとして、「中間孔サイズ」の用語は、多孔質無機酸化物が焼成された形態である場合、約３．９〜約７．１Åの範囲の有効孔口を意味する。使用される形状選択型中間孔サイズ分子篩は一般に、１−Ｄ  １０−、１１−または−１２環分子篩である。具体例において、分子篩は１−Ｄ  １０−環変種分子篩であり、１０−（または１１−または１２−）環分子篩は酸素により結合されている１０（または１１−または１２−）四面体状配位原子（Ｔ−原子）を有する。１−Ｄ分子篩においては、１０−環（またはそれ以上）の孔が相互に並列されており、相互連絡していない。しかしながら、より広い中間孔サイズ分子篩の定義に適合するが、８−員環を有する重複孔を包含する１−Ｄ  １０−環分子篩はまた、当該分子篩の定義内に包含させることができることに留意すべきである。１−Ｄ、２−Ｄおよび３−Ｄとしてのイントラゼオライト（ｉｎｔｒａｚｅｏｌｉｔ）チャンネルの分類は、Ｆ．Ｒ．Ｒｏｄｒｉｇｕｅｓ、Ｌ．Ｄ．ＲｏｌｌｍａｎおよびＣ．Ｎａｃｃａｃｈｅ、ＮＡＴＯ  ＡＳＩ  Ｓｅｒｉｅｓ、１９８４により発行されたＺｅｏｌｉｔｅｓ，Ｓｃｉｅｎｃｅ  ａｎｄ  ＴｅｃｈｎｏｌｏｇｙにＲ．Ｍ．Ｂａｒｒｅｒにより説明されており、この分類をその全体を引用して組入れる（特に、７５頁参照）。
【００４９】
水素添加異性化に使用される別種の形状選択型中間孔サイズ分子篩は、リン酸アルミニウム、例えばＳＡＰＯ−１１、ＳＡＰＯ−３１およびＳＡＰＯ−４１を基材とするものである。ＳＭ−３は良好な形状選択型中間孔サイズＳＡＰＯの例であり、これはＳＡＰＯ−１１分子篩の構造内に入る結晶構造を有する。ＳＭ−３の製造およびその特異な特徴は米国特許第４，９４３，４２４号および同第５，１５８，６６５号に記載されている。金属付加小型結晶ＭＴＴ分子篩はまた、良好な形状選択型中間孔サイズ分子篩である。金属付加小型結晶ＭＴＴ分子篩触媒の製造は２００７年１０月２日に出願された米国特許出願番号第１１／８６６，２８１号に記載されている。水素添加異性化に使用される別種の形状選択型中間孔サイズ分子篩はゼオライト、例えばＺＳＭ−２２、ＺＳＭ−２３、ＺＳＭ−３５、ＺＳＭ−４８、ＺＳＭ−５７、ＳＳＺ−３２、オフレタイトおよびフェリエライトである。
【００５０】
具体例において、中間孔サイズ分子篩はチャンネルの選択された結晶学的に無制限の口径、選択された結晶サイズ（選択されたチャンネル長さに相当する）、および選択された酸性度により特徴付けられる。分子篩の望ましい選択された結晶学的に無制限の口径は約３．９〜約７．１Åの範囲にあり、７．１より大きいことはない最大の結晶学的に無制限の口径および３．９Å未満ではない最小の結晶学的に無制限の口径を有する。この態様において、最大の結晶学的に無制限の口径は７．１よりも大きいことはなく、および最小の結晶学的に無制限の口径は４．０Åより小さいことはない。具体例において、最大の結晶学的に無制限の口径は６．５よりも大きいことはなく、および最小の結晶学的に無制限の口径は４．０Åより小さいことはない。この分子篩チャンネルの結晶学的に無制限の口径は、Ｃｈ．Ｂａｅｒｌｏｃｈｅｒ、Ｗ．Ｍ．ＭｅｉｅｒおよびＤ．Ｈ．ＯｌｓｏｎによるＥｌｓｅｖｉｅｒ、第５版、２００１年、１０〜１５頁の「Ａｔｌａｓ  Ｚｅｏｌｉｔｅ  Ｆｒａｍｅｗｏｒｋ  Ｔｙｐｅｓ」に発表されている。
【００５１】
中間孔サイズ分子篩の例は、例えば米国特許第５，１３５，６３８号および同第５，２８２，９５８号に記載されている。米国特許第５，２８２，９５８号によれば、このような中間孔サイズ分子篩は約０．５ミクロンより大きいことはない結晶サイズおよび少なくとも約４．８Åの最小径および約７．１Åの最大径の孔を有する。触媒は、管状反応器内に位置している場合、その０．５グラムが３７０℃、１２００ｐｓｉｇの圧力、１６０ｍｌ／ｍｍの水素流および１ｍｌ／時間の供給速度においてヘキサデカンの少なくとも５０％を変換するのに充分な酸性度を有する。触媒はまた、正ヘキサデカン（ｎ−Ｃ１６）の別種への９６％変換を導く条件下に使用した場合、４０パーセントまたはそれ以上の異性化選択性を示す（異性化選択性は次式に従い決定される：１００ｘ（生成物中の分枝鎖状Ｃ１６の重量％）／生成物中の分枝鎖状Ｃ１６の重量％＋生成物中のＣ１３の重量％）。
【００５２】
具体例において、分子篩はさらに、約４．０〜約７．１Åの範囲、例えば４．０〜６．５Åの範囲の結晶学的に無制限の口径を有する孔またはチャンネルを有することを特徴とすることができる。分子篩のチャンネルの結晶学的に無制限の口径は、Ｃｈ．Ｂａｅｒｌｏｃｈｅｒ、Ｗ．Ｍ．ＭｅｉｅｒおよびＤ．Ｈ．ＯｌｓｏｎによるＥｌｓｅｖｉｅｒ、第５版＜２００１年、１０〜１５頁の「Ａｔｌａｓ  Ｚｅｏｌｉｔｅ  Ｆｒａｍｅｗｏｒｋ  Ｔｙｐｅｓ」に公開されている。
【００５３】
分子篩チャンネルの結晶学的に無制限の口径が未知である場合、当該分子篩の有効孔サイズは標準吸着技術および既知最小運動口径（ｋｉｎｅｔｉｃ  ｄｉａｍｅｔｅｒｓ）の炭化水素系化合物を用いて測定することができる。Ｂｒｅｃｋ、Ｚｅｏｌｉｔｅ  Ｍｏｌｅｃｕｌａｒ  Ｓｉｅｖｅｓ、１９７４（特に、第８章）；Ａｎｄｅｒｓｏｎ等、Ｊ．Ｃａｔａｌｙｓｉｓ、５８、１１４（１９７４）および米国特許第４，４４０，８７１号を参照することができる。孔サイズを測定するために吸着測定を行う場合、標準技法を使用する。約１０分未満における分子篩上でのその平衡吸着値の少なくとも９５％に達しない場合は排除して、特定の分子を考慮することが望ましい（２５℃においてｐ／ｐ０＝０．５）。中間孔サイズの分子篩は典型的に、５．３〜６．５Åの運動口径を有する分子を僅かな妨害を伴い受容する。
【００５４】
水素添加異性化触媒は多くの場合、接触活性水素添加金属を含んでいる。接触活性水素添加金属の存在は、生成物に改善、特に粘度指数および安定性の改善を導く。代表的接触活性水素添加金属は、クロム、モリブデン、ニッケル、バナジウム、コバルト、タングステン、アエン、白金およびパラジウムを包含する。具体例において、接触活性水素添加金属は白金、パラジウムおよびその混合物から選択される。白金および／またはパラジウムを使用する場合、これらの活性水素添加金属の総量は典型的に、総触媒の０．１〜５重量％、通常０．１〜２重量％の範囲であるが、１０重量％を超えない量である。
【００５５】
耐火性酸化物支持体は触媒に慣用の酸化物支持体、例えばシリカ、アルミナ、シリカ−アルミナ、マグネシア、チタニアおよびその組合せから選択することができる。
【００５６】
水素添加異性化の条件は環状パラフィン官能基を有する分子を５重量％より多い量で含む基油が得られるように設定することができる。具体例において、この条件は、５より大きい、例えば１０より大きい、１５より大きいまたは２０より大きい多環状パラフィン官能基を有する分子の重量パーセントに対する単環状パラフィン官能基を有する分子の重量パーセントの比を含む基油が得られる条件である。水素添加異性化の条件は使用される供給原料、使用される触媒、触媒がイオウ化されているか否か、所望の収率、および基油に望まれる性質に依存する。水素添加異性化を実施できる条件は、約５００°Ｆ〜約７７５°Ｆ（２６０℃〜約４１３℃）、例えば６００°Ｆ〜約７５０°Ｆ（３１５℃〜約３９９℃）または６００°Ｆ〜約７００°Ｆ（３１５℃〜約３７１℃）の温度；および約１５〜３０００ｐｓｉｇ、例えば１００〜２５００ｐｓｉｇの圧力を包含する。これに関連して、水素添加異性化圧力は水素添加異性化反応器内の水素分圧を表わすが、この水素分圧は総圧力と実質的に同一である（またはほとんど同一である）。接触期間中の液体毎時空間速度は一般に、約０．１〜２０／時間、例えば約０．１〜約５／時間である。水素対炭化水素比は炭化水素１モル当たり約１．０〜約５０モルＨ２、例えば炭化水素１モル当たり約１０〜約２０モルＨ２の範囲内に入る。水素添加異性化の実施に適する条件は米国特許第５，２８２，９５８号および同第５，１３５，６３８号に記載されている。
【００５７】
具体例において、水素添加異性化条件は、標準化を伴うｎ−ｄ−Ｍによってナフテン系炭素２〜１０重量％、パラフィン系炭素９０〜９８重量％および１重量％未満の芳香族系炭素を有する基油が生成されるように選択する。ｎ−ｄ−Ｍ分析は標準化を伴うＡＳＴＭ  Ｄ３２３８−９５（２００５年に再承認）によって行われる。具体例において、芳香族系炭素（Ｃａ）重量パーセント、ナフテン系炭素（Ｃｎ）重量パーセント、およびパラフィン系炭素（Ｃｐ）重量％は、標準化を伴うＡＳＴＭ  Ｄ３２３８−９５（２００５年に再承認）によって測定することができる。ＡＳＴＭ  Ｄ３２３８−９５（２００５年に再承認）は、ｎ−ｄ−Ｍ法による石油の炭素分布の測定および構造基分析のための標準試験方法（Ｓｔａｎｄａｒｄ  Ｔｅｓｔ  Ｍｅｔｈｏｄ  ｆｏｒ  Ｃａｌｃｕｌａｔｉｏｎ  ｏｆ  Ｃａｒｂｏｎ  Ｄｉｓｔｒｉｂｕｔｉｏｎ  ａｎｄ  Ｓｔｒｕｃｔｕｒａｌ  Ｇｒｏｕｐ  Ａｎａｌｙｓｉｓ  ｏｆ  Ｐｅｔｒｏｌｅｕｍ  Ｏｉｌ）である。この方法は、本出願においてオレフィン含有量が２重量％またはそれ以下であることを意味するものと推定される「オレフィンを含有していない」供給原料用の方法である。標準化方法は下記の方法からなる：Ａ）Ｃａ値がゼロ未満である場合、Ｃａはゼロに設定され、およびＣｎおよびＣｐは、合計が１００％であるように比例して増加される；Ｂ）Ｃｎ値がゼロ未満である場合、Ｃｎはゼロに設定され、およびＣａおよびＣｐは、合計が１００％であるように比例して増加される；およびＣ）ＣｎおよびＣａ値が両方共にゼロ未満である場合、ＣｎおよびＣａはゼロに設定され、およびＣｐは１００％であると設定される。
【００５８】
水素添加異性化処理期間中、水素を反応帯域に存在させる。典型的には、約０．５〜３０ＭＳＣＦ／ｂｂｌ（１０００標準立法フィート／バレル）、例えば約１〜約１０ＭＳＣＦ／ｂｂｌの水素対供給原料比で存在させる。具体例において、この水素対供給原料比は約７１２．４〜約３５６２リットルＨ２／リットル油（約４〜約２０ＭＳＣＦ／ｂｂｌ）である。時には、水素を生成物から分離し、反応帯域に再循環する。
【００５９】
水素処理（ｈｙｄｒｏｔｒｅａｔｉｎｇ）
水素添加異性化法に供給される高パラフィン系ワックスは、時には水素添加異性化に先立ち水素処理する。水素処理は接触法であり、通常、遊離水素の存在下に行われる。この処理の主要目的は、種々の金属夾雑物質、例えばヒ素、アルミニウムおよびコバルト；ヘテロ原子、例えばイオウおよび窒素；酸化物；または供給原料からの芳香族物質を除去することにある。一般に、水素処理操作において、炭化水素分子の分解、すなわち大きい方の炭化水素分子の小さい方の炭化水素分子への分解が最低にされ、また不飽和炭化水素は完全にまたは部分的に水素添加される。
【００６０】
水素仕上げ処理（ｈｙｄｒｏｆｉｎｉｓｈｉｎｇ）
水素仕上げ処理は、水素添加異性化に引続く工程としてしばしば使用され、高パラフィン系ワックスから誘導される基油を生成するための水素処理方法である。水素仕上げ処理を使用し、痕跡量の芳香族物質、オレフィン類、着色物質および溶媒を除去することによって基油の酸化安定性、ＵＶ安定性および外観を改良することができる。本明細書で使用されているものとして、ＵＶ安定性の用語はＵＶ光および酸素に曝された場合の基油または潤滑油組成物の安定性を表す。通常、紫外線光および空気に曝された場合に発現するフロックまたは雲状物として見出される目に見える沈殿、または暗色は不安定性を示唆する。水素仕上げの一般的説明は米国特許第３，８５２，２０７号および同第４，６７３，４８７号に見出すことができる。不純物を除去するためのクレイ処理は高パラフィン系ワックスから誘導される基油を得るための別の仕上げ方法である。
【００６１】
分別
任意に、高パラフィン系ワックスから誘導される軽質基油を得る方法は、水素添加異性化に先立つ、高パラフィン系ワックス供給原料の分別または水素添加異性化から得られた基油の分別を包含することができる。高パラフィン系ワックス供給原料または異性化基油のフラクションへの分別は一般に、大気圧または減圧蒸留によって、または大気圧蒸留と減圧蒸留との組合せによって達成することができる。大気圧蒸留は典型的に、約６００°Ｆ〜約７５０°Ｆ（約３１５℃〜約３９０℃）以上の初期沸点を有する底部フラクションから軽質留出物、例えばナフサおよび中質留出物を分離するために使用される。さらに高い温度において、炭化水素の熱分解が生じることがあり、装置の汚染および重質カットの収率低下を導くことがある。減圧蒸留は典型的に、さらに高い沸点を有する物質、例えば基油を相違する沸点範囲のカットに分離するために使用される。基油を相違する沸点範囲のカットに分別すると、基油製造プラントが一種以上の品質または一種以上の粘度の基油を生成することを可能にする。
【００６２】
溶剤脱ロウ
高パラフィン系ワックスから誘導される基油の製造方法は場合によりまた、水素添加異性化の前または後のいずれかの時点における溶剤脱ロウを包含する。溶剤脱ロウは場合により、水素添加異性化後の基油からの少量の残留ワックス状分子の除去に使用することができる。溶剤脱ロウは、基油を溶剤、例えばメチルエチルケトン、メチルイソブチルケトンまたはトルエンに溶解することによって、またはＣｈｅｍｉｃａｌ  Ｔｅｃｈｎｏｌｏｇｙ  ｏｆ  Ｐｅｔｒｏｌｅｕｍ、３版、Ｗｉｌｌｉａｍ  ＧｒｕｓｅおよびＤｏｎａｌｄ  Ｓｔｅｖｅｎｓ、ＭｃＧｒａｗ−Ｈｉｌｌ  Ｂｏｏｋ  Ｃｏｍｐａｎｙ，Ｉｎｃ．、Ｎｅｗ  Ｙｏｒｋ、１９６０、５６６〜５７０頁に記載されているようにワックス状分子を沈殿させることによって行う。溶剤脱ロウはまた、米国特許第４，４７７，３３３号、同第３，７７３，６５０号および同第３，７７５，２８８号に記載されている。
【００６３】
具体例において、基油は下記処理工程によって製造する：ａ）形状選択型中間孔サイズ分子篩を使用し、ワックス状供給原料を水素添加異性化脱ロウし、中間油イソメレート（ｉｓｏｍｅｒａｔｅ）を生成する、ここで中間油イソメレートは分枝の程度が炭素１００個当たり７未満のアルキル分枝であるパラフィン系炭化水素成分を含んでいる；ｂ）中間油イソメレートを分析し、中間油イソメレートが、その分枝の程度が炭素１００個当たり７未満のアルキル分枝であるパラフィン系炭化水素成分を含むことを測定する；次いでｃ）中間油イソメレートを溶剤脱ロウし、潤滑油用基油が、その分枝の程度が炭素１００個当たり８未満のアルキル分枝であり、およびこれらのアルキル分枝の２０重量未満が２位置に存在するパラフィン系炭化水素成分を含む潤滑油用基油を生成する；この潤滑油用基油は、−８℃未満の流動点；１００℃において約３．２ｃＳｔまたはそれ以上の動粘度および下記式により計算してターゲット粘度指数（Ｔａｒｇｅｔ  Ｖｉｓｃｏｓｉｔｙ  Ｉｎｄｅｘ）より大きい粘度指数を有する：
ターゲット粘度指数＝２２×Ｌｎ（１００℃における動粘度）＋１３２
【００６４】
高パラフィン系ワックスから誘導される基油
高パラフィン系ワックスから誘導される基油は潤滑油組成物で使用するのに適している。具体例において、このような潤滑油組成物用基油は不飽和成分を５重量％未満、例えば１重量％未満または０．５重量％未満の量で含んでいる。この潤滑油組成物用基油は一般に、０．３０重量％未満、例えば０．１重量％未満または０．０５重量％未満の芳香族官能基を有する分子を含んでいる。
【００６５】
具体例において、このような潤滑油組成物用基油は環状パラフィン官能基を有する分子を５重量％より多い量で含んでいる。具体例において、潤滑油組成物用基油は５より大きい、例えば１０より大きい、１５より大きい、または２０より大きい多環状パラフィン官能基を有する分子の重量％に対する単環状パラフィン官能基を有する分子の重量％の比を含んでいる。
【００６６】
具体例において、潤滑油組成物用基油は１９未満のアルキル分枝／炭素１００個、例えば１９より多いアルキル分枝／炭素１００個〜１９未満のアルキル分枝／炭素１００個を含んでいる。潤滑油組成物用基油はまた、特定のアルキル分枝位置を有することができる。具体例において、潤滑油組成物用基油は主として、メチル分枝を含み、この分枝は炭素１００個当たり６〜１８のアルキル分枝であって、その分枝の２５％より多くが相互に別々に５個または６個以上の炭素原子を有し、およびその分枝の４０％未満が相互に別々に２〜３個以内の炭素原子を有する。この種の基油の例は、米国特許出願公開第２００５／００７７２０８Ａ１に教示されている。
【００６７】
環状パラフィン官能基を望ましいレベルで有する分子を含有する基油は、分子が粘度指数改良剤および潤滑油用添加剤パッケージを包含する添加剤に対し良好な溶解性を示す。これは環状パラフィン官能基を有する分子が添加剤溶解性を付与するからである。多環状パラフィン官能基を有する分子の重量パーセントに対する単環状パラフィン官能基を有する分子の重量パーセントの比が高い基油の場合（または高重量パーセントの単環状パラフィン官能基を有する分子および低重量パーセントの多環状パラフィン官能基を有する分子の場合）、多環状パラフィン官能基を有する分子が酸化安定性を減少させ、粘度指数を低下させ、およびノアク揮発度を増加させることから、このような基油はまた望ましい基油である。従って、このような基油は良好な酸化安定性および低いノアク揮発度を示す。
【００６８】
具体例において、本発明による潤滑油組成物用基油は、溶出カラムクロマトグラフィ、ＡＳＴＭ  Ｄ２５４９−０２によって測定して、９５重量％より大きい飽和度、例えば９９重量％より大きいか、または９９．５重量％より大きい飽和度を有する。オレフィン類は長期持続性Ｃ１３核磁気共鳴スペクトル分析（ＮＭＲ）により検出可能な量よりも少ない量で存在する。具体例において、芳香族官能基を有する分子は、ＨＰＬＣ−ＵＶによって測定し、および低レベルの芳香族系分子の測定用に改修されているＡＳＴＭ  Ｄ５２９２−９９により確認して、０．３重量パーセント未満の量で存在する。具体例において、芳香族官能基を有する分子は、０．１０重量パーセント未満、例えば０．０５重量パーセント未満、または０．０１重量パーセント未満の量で存在する。イオウは、ＡＳＴＭ  Ｄ５４５３−０６による紫外線蛍光分析によって測定して、２５ｐｐｍ未満、例えば５ｐｐｍ未満、または１ｐｐｍ未満の量で存在する。
【００６９】
高パラフィン系ワックスから誘導される基油は、例えば高い揮発度、高い粘度、およびヘテロ原子などの不純物を包含する全ての望ましくない特性を潤滑油組成物に導入しない。具体例において、基油はフィッシャー−トロプシュ由来基油である。フィッシャー−トロプシュ由来ワックスは前記性質を有するフィッシャー−トロプシュ由来基油の製造に特に良好に適している。
【００７０】
具体例において、異性化された基油は比較的低い牽引摩擦係数を有し、特にその牽引摩擦係数は下記式により計算される数値より小さい：
牽引摩擦係数＝０．００９×Ｌｎ（ｍｍ２／秒単位の動粘度）−０．００１
式中、式中の動粘度は牽引摩擦係数測定中の動粘度であり、２〜５０ｍｍ２／秒である。具体例において、異性化された基油は、１５ｍｍ２／秒の動粘度において、４０％の滑走対回転比（ｓｌｉｄｅ  ｔｏ  ｒｏｌｌ  ｒａｔｉｏ）で測定した場合、０．０２３未満（または０．０２１未満）の牽引摩擦係数を有する。具体例において、異性化された基油は、１５ｍｍ２／秒の動粘度において、４０％の滑走対回転比で測定した場合、０．０１７未満の牽引摩擦係数を有する。具体例において、異性化された基油は、１５ｍｍ２／秒の動粘度において、４０％の滑走対回転比で測定した場合、１５０より大きい粘度指数および０．０１５未満の牽引摩擦係数を有する。
【００７１】
具体例において、小さい牽引摩擦係数を有する異性化された基油はまた、より高い動粘度およびより高い沸点を有する。具体例において、基油は０．０１５未満の牽引摩擦係数および５６５℃より高い５０重量％沸点を有する。具体例において、基油は０．０１１未満の牽引摩擦係数およびＡＳＴＭ  Ｄ６３５２−０４によって５８２℃（１０８０°Ｆ）より高い５０重量％沸点を有する。
【００７２】
具体例において、小さい牽引摩擦係数を有する異性化された基油はまた、ＮＭＲによって２３．４未満であるか、または２３．４に等しい分枝指数（ｂｒａｎｃｈｉｎｇ  ｉｎｄｅｘ）、２２．０より大きいか、２２．０に等しい分枝鎖近接度（ｂｒａｎｃｈｉｎｇ  ｐｒｏｘｉｍｉｔｙ）および９〜３０の遊離炭素指数（Ｆｒｅｅ  Ｃａｒｂｏｎ  Ｉｎｄｅｘ）を包含する特異な分枝鎖性を示す。具体例において、基油は標準化を伴うＡＳＴＭ  Ｄ３２３８−９５（２００５年再承認）によるｎ−ｄ−Ｍ分析によって、少なくとも４重量％のナフテン系炭素を有し、別の具体例では、少なくとも５重量％のナフテン系炭素を有する。
【００７３】
基油牽引摩擦係数
牽引摩擦データはＰＣＳ  Ｉｎｓｔｒｕｍｅｎｔ，Ｌｔｄ．からのＭＴＭ牽引摩擦測定システム（Ｔｒａｃｔｉｏｎ  Ｍｅａｓｕｒｅｍｅｎｔ  Ｓｙｓｔｅｍ）を用いて得た。この装置は、平坦な４６ｍｍ径研磨済ディスク（ＳＡＥ  ＡＩＳＩ５２１００スチール製）に対し２４°の角度を付けて配置されている１９ｍｍ径ボール（ＳＡＥ  ＡＩＳＩ５２１００スチール製）を有していた。測定は、４０℃、７０℃、１００℃および１２０℃で行った。スチール製ボールおよびディスクは、３メーター／秒の平均回転速度および４０％の滑走対回転比で２個のモーターによって独立して駆動させた［滑走対回転比はボールおよびディスクの平均速度により割算されたボールとディスク間の滑走速度の差として定義される：ＳＲＲ＝（速度１−速度２）／（速度１＋速度２）／２）］。ボール／ディスク上の荷重は２０ニュートンであり、これは０．８１９ＧＰａの最大接触応力をもたらす。
【００７４】
各油の牽引摩擦係数データを各被験温度（４０℃、７０℃、１００℃および１２０℃）における動粘度データに対しグラフに描き入れた。すなわち、４０℃における油の動粘度（ｘ軸）は４０℃における対応する牽引摩擦データ（ｙ軸）と対をなしており、以下同様であった。動粘度情報は一般に、４０℃および１００℃のみで入手可能であったことから、７０℃および１２０℃の動粘度は周知のワルサーの式（Ｗａｌｔｈｅｒ  Ｅｑｕａｔｉｏｎ）を用い、４０℃および１００℃のデータから推定した：
［Ｌｏｇ１０（Ｌｏｇ１０（ｖｉｓ＋０．６））＝ａ−ｃ＊Ｌｏｇ１０（温度、°Ｋ）］
【００７５】
ワルサーの式は、異常温度における粘度の推定に最も広く使用されており、ＡＳＴＭ  Ｄ３４１粘度−温度チャート用の基礎を形成する。各油に係わる結果はログ（ｌｏｇ）牽引摩擦係数データ対動粘度の線型適合でｍｍ２／秒により報告される。１５ｍｍ２／秒動粘度における各油の牽引摩擦係数結果をグラフから読み取り、表にした。
【００７６】
ＨＰＬＣ−ＵＶによる芳香族物質の測定
基油中の低レベルの芳香族官能基を有する分子の測定に使用される方法はＨＰ−Ｃｈｅｍ−ステーションに対面してＨＰ１０５０ダイオード−アレイＵＶ−Ｖｉｓ検出器（ＨＰ１０５０  Ｄｉｏｄｅ−Ａｒｒａｙ  ＵＶ−Ｖｉｓ  ｄｅｔｅｃｔｏｒ）が組合わされているヒューレットバッカード１０５０シリーズクオータナリイグラディエント高速クロマトグラフィ（Ｈｅｗｌｅｔ  Ｐａｃｋａｒｄ  １０５０  Ｓｅｒｉｅｓ  Ｑｕａｔｅｒｎａｒｙ  Ｇｒａｄｉｅｎｔ  Ｈｉｇｈ  Ｐｅｒｆｏｒｍａｎｃｅ  Ｌｉｑｕｉｄ  Ｃｈｒｏｍａｔｏｇｒａｐｈｙ）（ＨＰＬＣ）システムを使用する。高度に飽和された基油中の各種芳香族物質の同定は、それらのＵＶスペクトルパターンおよびそれらの溶出時間に基づき行った。この分析に使用されるアミノカラムは、それらの環数（またはさらに正確には、二重結合数）に基づきほとんどの芳香族分子を識別する。すなわち、単環状芳香族含有分子が最初に溶出され、次いで分子当たりの二重結合数の増加順序に従い多環状芳香族分子が溶出される。類似する二重結合特徴を有する芳香族分子の場合、環上にアルキル置換基のみを有する分子が環状パラフィン置換基を有する分子よりも先に溶出される。
【００７７】
ＵＶ吸収スペクトルからの各種基油芳香族炭化水素の明確な同定は、やや複雑であった。それらのピーク電子遷移が、純粋なモデル化合物同族体に対して、環系上のアルキル置換基および環状パラフィン置換基の量にある程度依存して全部が赤色−移動するという事実に起因するものである。これらの深色シフトが芳香族環のα−電子のアルキル基の位置移動によって生じることは周知である。数少ない未置換芳香族化合物は潤滑剤範囲で沸騰することから、或る程度の赤色移動が予測され、同定される主要芳香族基の全部に見出された。
【００７８】
溶出する芳香族化合物の定量は、該当芳香族について適当な相当する滞留時間ウインドウ（ｒｅｔｅｎｔｉｏｎ  ｔｉｍｅ  ｗｉｎｄｏｗ）全体にわたり一般的種類の化合物のそれぞれについて最適化された波長からなされる集積クロマトグラム（ｉｎｔｅｇｒａｔｉｎｇ  ｃｈｒｏｍａｔｏｇｒａｍｓ）によって行った。各芳香族種にかかわる滞留時間ウインドウ限界は、相違する時点で溶出する化合物の各吸収スペクトルをマニュアル評価し、モデル化合物吸収スペクトルに対するそれらの定性的類似性に基づき相当する芳香族種にこれらを特定することによって測定した。数少ない例外を伴い、高度に飽和されているＡＰＩグループＩＩおよびＩＩＩ基油においては５種類のみの芳香族化合物がで見出された。
【００７９】
ＨＰＬＣ−ＵＶ測定
非常に低レベルでさえも、これらの種類の芳香族化合物の同定にＨＰＬＣ−ＵＶを使用する。多環状芳香族化合物は典型的に、単環状芳香族化合物よりも１０〜２００倍強力に吸光する。アルキル置換基はまた、約２０％まで吸光に影響を及ぼした。従って、種々の種類の芳香族化合物を分離および同定し、それらが如何に効果的に吸光するかを知るためにＨＰＬＣを使用することは重要である。
【００８０】
５種の芳香族化合物を同定した。大多数の高度に保持されているアルキル−シクロアルキル−１−環と最も数少ない高度に保持されているアルキルナフタレンとの間の小さい重複を除いて、全部の芳香族化合物種がベースライン分割された。２７２ｎｍにおける共溶出性１−環状および２−環状芳香族化合物にかかわる集積限界（ｉｎｔｅｇｒａｔｉｏｎ  ｌｉｍｉｔｓ）は、垂直降下法によって行った。各一般的芳香族種にかかわる波長依存性応答因子を先ず、置換されている芳香族同族化合物に最も近いスペクトルピーク吸光に基づき、純粋モデル化合物混合物からビールス法（Ｂｅｅｒ’ｓ  Ｌａｗ）グラフを構築することによって決定した。
【００８１】
一例として、基油中のアルキル−シクロヘキシルベンゼン分子は２７２ｎｍにおいて相違するピーク吸光を示し、これは未置換テトラリン化合物が２６８ｎｍで示すものと同一の（禁制）遷移に相当する。基油試料中のアルキル−シクロアルキル−１−環状芳香族化合物の濃度は、その２７２ｎｍにおけるモル吸光応答因子が２６８ｎｍにおけるテトラリンのモル吸光値にほぼ等しいものと仮定することによって計算した。芳香族化合物の重量パーセント濃度は、各芳香族種の平均分子量が基油試料全体の平均分子量にほぼ等しいものと仮定することによって計算した。
【００８２】
排気性ＨＰＬＣクロマトグラフィによって基油から１−環状芳香族化合物を直接に単離することにより、この計算方法をさらに改良した。これらの芳香族化合物を直接に用いる測定はモデル化合物と関連する仮定および不確定性を排除した。予測されるように、単離された芳香族化合物試料は、さらに高度に置換されていることから、モデル化合物より低い応答因子を有していた。
【００８３】
さらに詳細に説明すると、ＨＰＬＣ−ＵＶ法を正確に測定するために、置換ベンゼン芳香族化合物をウオーターズ（Ｗａｔｅｒｓ）準調製型ＨＰＬＣ装置を用いて一団の基油から分離した。試料１０グラムをｎ−ヘキサン中で１：１に希釈し、次いで５ｃｍｘ２２．４ｍｍＩＤガードアミノ−結合シリカカラム中に注入し、次いでＲａｉｎｉｎ  Ｉｎｓｔｒｕｍｅｎｔ、Ｅｍｅｒｙｖｉｌｌ、Ｃａｌｆｏｒｎｉａにより製造された８〜１２ミクロンアミノ結合シリカ粒子の２本の２５ｃｍｘ２２．４ｍｍＩＤカラムに流動相としてｎ−ヘキサンを用い１８ｍｌ／分の流速で注入した。カラム流出液は２６５ｎｍおよび２９５ｎｍに設定した二元波長ＵＶ検出器からの検出器応答に基づき分別した。飽和フラクションは２６５ｎｍ吸光度が単環状芳香族分子溶出の発現の信号である０．０１吸光度単位の変化を示すまで採集した。単環状芳香族分子フラクションは二環状芳香族分子溶出を示す２６５ｎｍの吸光度と２９５ｎｍの吸光度との間の吸光度比が２．０まで減少するまで採集した。単環状芳香族分子フラクションの精製および分離は、ＨＰＬＣカラムの過重の結果である「テイリング」（ｔａｉｌｉｎｇ）飽和フラクションからモノ芳香族フラクションを分離する再−クロマトグラフィにより行った。
【００８４】
この精製された芳香族「標準」は、未置換テトラリンに比較してモル吸光応答因子の約２０％の減少を示した。
【００８５】
ＮＭＲによる芳香族化合物の確認
精製された単環状芳香族標準中の芳香族官能基を有する分子の重量パーセントを長期持続性炭素１３ＮＭＲ分析により確認した。応答が分析される芳香族分子の種類に依存しないような芳香族炭素の単純な測定であることから、ＮＭＲはＨＰＬＣ  ＵＶよりも測定が容易であった。ＮＭＲの結果を、高度に飽和されている基油中の芳香族分子の９５〜９９％が単環状芳香族化合物であったことを知ることによって、芳香族炭素％を芳香族分子％に置き換えた（ＨＰＬＣ−ＵＶおよびＤ  ２００７と矛盾しない）。
【００８６】
０．２％芳香族分子にまで芳香族分子を正確に測定するためには、強力で長期持続性であり、かつ良好なベースライン分析が必要であった。
【００８７】
さらに詳細に説明すると、ＮＭＲによる低レベルの少なくとも１種の芳香族官能基を有する分子の全部を正確に測定するために、標準Ｄ５２９２−９９法を改良し、５００：１の最低炭素感受性を得た（ＡＳＴＭ標準実施法Ｅ３８６による）。１０〜１２ｍｍナロラック（Ｎａｌｏｒａｃ）プローブを備えた４００−５００ＭＨｚ  ＮＭＲにおける１５時間継続実行を使用した。アコーン（Ａｃｏｒｎ）ＰＣ集積ソフトウエアを使用し、ベースラインの形状を定め、次いで一貫して集積した。芳香族領域中への脂肪族ピークの造影からの人為所産を回避するために、この実行中に一回、搬送周波数を変えた。搬送スペクトルのどちらかの側でスペクトルを採取することによって、分割能は有意に改善された。
【００８８】
ＦＩＭＳによる環状パラフィン分布
パラフィンは環状パラフィンに比較し、酸化に対し安定であると考えられ、従ってさらに望ましい。単環状パラフィンは多環状パラフィンに比較し、酸化に対し安定であると考えられる。しかしながら、油中で少なくとも１個の環状パラフィン官能基を有する分子全部の重量パーセントが非常に低い場合、添加剤溶解度は低く、またエラストマー適合性は貧弱である。これらの性質を有する油の例には、約５％未満の環状パラフィンを含有するフィッシャー−トロプシュ油がある。潤滑油組成物におけるこれらの性質を改良するために、多くの場合、エステルなどの高価な補助溶剤を添加しなければならない。具体例において、高パラフィン系ワックスから誘導された基油は単環状パラフィン官能基を有する分子を高重量パーセントで、および多環状パラフィン官能基を有する分子を低重量パーセントで含んでいる。このような基油は高い酸化安定性、低い揮発度、良好な別種の油との混和性、良好な添加剤溶解性および良好なエラストマー適合性を有する。
【００８９】
潤滑油組成物の基油は、電界イオン化質量分析法（ｆｉｅｌｄ  ｉｏｎｉｚａｔｉｏｎ  ｍａｓｓ  ｓｐｅｃｔｒｏｓｃｏｐｙ）（ＦＩＭＳ）によってアルカン類および相違する数の不飽和を有する分子により、その特徴を明らかにした。基油中の分子の分布はＦＩＭＳによって測定した。ＦＩＭＳスペクトルはマイクロマス（Ｍｉｃｒｏｍａｓｓ）ＶＧ７０ＶＳＥ質量分析計で得た。このスペクトルは固体プローブを用い、例えば少量（約０．１ｍｇ）の被験基油をガラス毛細管に入れることにより分光光度計に導入した。この毛細管を質量分析計用の固体プローブの先端に設置し、次いでこのプローブを約１０−６トールで減圧下に操作して、５０℃／分の速度で約４０℃から５００℃まで加熱した。質量分析計を５秒／減衰の速度でｍ／ｚ４０からｍ／ｚ１００まで走査した。得られた質量分析値を合計し、一つの「平均」分析値を得た。各分析値をＰＣ−ＭａｓｓＳｐｅｃからのソフトウエアパッケージを用い１３Ｃ補正した。
【００９０】
全部の種類の化合物にかかわる応答因子が１．０であると仮定し、重量パーセントを面積パーセントから測定した。得られた質量分析値を合計し、一つの「平均」分析値を得た。ＦＩＭＳ分析から得られた数値は被験試料中のアルカン類、１−不飽和、２−不飽和、３−不飽和、４−不飽和、５−不飽和および６−不飽和の平均重量パーセントである。、
【００９１】
相違する数の不飽和を有する分子は環状パラフィン、オレフィンおよび芳香族分子からなることができる。芳香族分子が基油中に有意の量で存在する場合、これらはＦＩＭＳ分析てほとんど４−不飽和として同定される。オレフィンが基油中に有意の量で存在する場合、これらはＦＩＭＳ分析てほとんど１−不飽和として同定される。ＦＩＭＳ分析値からプロトンＮＭＲの重量パーセントを引算し、およびＨＰＬＣ−ＵＶによる芳香族分子の重量パーセントを引算した１−不飽和、２−不飽和、３−不飽和、４−不飽和、５−不飽和および６−不飽和の合計は潤滑油組成物の基油中の環状パラフィン官能基を有する分子の総重量パーセントである。ＦＩＭＳ分析値からＨＰＬＣ−ＵＶによる芳香族分子の重量パーセントを引算した２−不飽和、３−不飽和、４−不飽和、５−不飽和および６−不飽和の合計は潤滑油組成物の基油中の多環状パラフィン官能基を有する分子の重量パーセントである。芳香族分子含有量が測定されなかった場合、芳香族分子は０．１重量％未満であると推定され、また環状パラフィン官能基を有する分子の総重量パーセントにかかわる計算に包含されなかったことに留意すべきである。
【００９２】
具体例において、高パラフィン系ワックスから誘導された基油は５より多い環状パラフィン官能基を有する分子の重量パーセントを有する。具体例において、高パラフィン系ワックスから誘導された基油はまた、多環状パラフィン官能基を有する分子の重量パーセントに対する単環状パラフィン官能基を有する分子の重量パーセントについて高い比を有し、この比は５より大きい、１０より大きい、１５より大きい、または２０より大きい。
【００９３】
具体例において、高パラフィン系ワックスから誘導された潤滑油組成物用基油中の少なくとも１個の環状パラフィン官能基を有する分子全部の重量パーセントと動粘度との間には関連性がある。すなわち、環状パラフィン官能基を有する分子の量が多いほど１００℃においてさらに高い動粘度（ｍｍ２／秒）が得られる。
【００９４】
低レベルの芳香族分子の測定に使用された修正ＡＳＴＭ  Ｄ５２９２−９９およびＨＰＬＣ−ＵＶ試験法および飽和度特徴の測定に使用されたＦＩＭＳ試験方法は、１９９９年３月１６日のＨｏｕｓｔｏｎにおけるＡＩＣｈＥＤ  Ｓｐｒｉｎｇ  Ｎａｔｉｏｎａｌ  Ｍｅｅｔｉｎｇで１９９９年に発表されたＣ．Ｋｒａｍｅｒ等による「Ｉｎｆｌｕｅｎｃｅｄ  ｏｆ  ＧｒｏｕｐＩＩ  ＆  ＩＩＩ  Ｂａｓｅ  Ｏｉｌ  Ｃｏｍｐｏｓｉｔｉｏｎ  ｏｎ  ｖｉｓｃｏｓｉｔｙ  ｉｎｄｅｘ  ａｎｄ  Ｏｘｉｄａｔｉｏｎ  Ｓｔａｂｉｌｉｔｙ」（グループＩＩおよびＩＩＩ基油組成物の粘度指数および酸化安定性に対する影響）に記載されており、この発表を、その全体を引用することによってここに組入れる。
【００９５】
高パラフィン系ワックス供給原料は基本的にオレフィンを含有していないが、基油処理技術は、「分解」反応により特に高温でオレフィンを導入することができる。熱またはＵＶの存在下に、オレフィンは重合し、基油を着色することがあり、または沈降物を生じさせることがある高分子量生成物を形成することができる。一般に、オレフィンは水素処理によって、またはクレイ処理によって分離することができる。
【００９６】
潤滑油組成物
基油は潤滑油組成物の最も重要な成分であり、一般に潤滑油組成物の７０％以上を構成する。潤滑油組成物は基油および少なくとも１種の添加剤を含む。潤滑油組成物は自動車、ディーゼルエンジン、車輪、トランスミッション、および工業用途で使用することができる。潤滑油組成物は意図する用途に応じ、関連管理機関によって規定されているとおりの仕様に適合していなければならない。
【００９７】
潤滑油組成物を得るために基油と混合することができる添加剤は潤滑油組成物の選択された性質を改良しようとする添加剤を包含する。典型的添加剤は、例えば磨耗防止添加剤、極圧剤（ｅｘｔｒｅｍｅ  ｐｒｅｓｓｕｒｅ  ａｇｅｎｔｓ）、清浄分散剤（ｄｅｔｅｒｇｅｎｔ）（金属含有清浄分散剤）、分散剤（例えば、灰分を含まない分散剤）、酸化防止剤、流動点降下剤、ＶＩ改良剤（ＶＩＩ）、粘度改質剤、摩擦改質剤、解乳化剤、発泡防止剤、抑制剤（例えば、腐食抑制剤、錆抑制剤など）、シール膨潤剤、乳化剤、湿潤剤、潤滑性改良剤、金属脱活性化剤、ゲル化剤、粘着化剤、殺菌剤、液体逸散防止添加剤（ｆｌｕｉｄ−ｌｏｓｓ  ａｄｄｉｔｉｖｅｓ）、着色剤などを包含する。添加剤は種々の添加剤を含有する添加剤パッケージの形態で添加することができる。
【００９８】
本発明による潤滑油組成物は清浄分散剤抑制剤添加剤パッケージを含む。典型的に、本発明による潤滑油組成物中の添加剤の総量は潤滑油組成物のほぼ１重量％〜約３０重量％である。潤滑油組成物の調合における添加剤の使用は刊行物に充分に報告されており、当業者にとって周知である。
【００９９】
例
下記実施例は制限しようとするものではない。表２は実施例の潤滑油組成物に使用されるフッシャー−トロプシュ由来潤滑油用基油組成物の特性を示すものである。
【０１００】
【表２】
2011506677.tif 000004
【０１０１】
具体例において、高い粘度指数を有する基油を使用する。これによって広い稼動温度範囲にわたり良好な潤滑性能が得られる。具体例において、この基油は、当該基油が
２８×Ｌｎ（１００℃における動粘度）＋９５
または
２８×Ｌｎ（１００℃における動粘度）＋１０５
に等しい粘度指数因子より大きい粘度指数を有するような方法によって製造する。
この種の基油生成方法は米国特許第７，２８２，１３４号および米国特許出願公開第２００６／０２８９３３７号に記載されている。別の具定例において、基油の粘度指数はさらに高くさえあることができ、例えば式：
２２×Ｌｎ（１００℃における動粘度）＋１３２
により定められる数値より高くさえあることができる。
これらの基油は、米国特許出願公開第２００５／００７７２０９号に記載されている。
【０１０２】
同一ＤＩ添加剤パッケージおよびＶＩＩを使用し、五種（５種）の潤滑油組成物を調合し、試験した。これらの結果は表３に見出すことができる。表３において、ＰＡＯはＣｈｅｖｒｏｎ  Ｓｙｎｆｌｕｉｄ（登録商標）ＰＡＯ４ｅＳｔであり、グループＩＩＩ基油はＣｈｅｖｒｏｎＵＣＢＯ４Ｒであり、グループＩＩ基油はＣｈｅｖｒｏｎ  Ｎｅｕｔｒａｌ  Ｏｉｌ  １００Ｒであり、エステルはＳｙｎａｔｉｖｅ  ＥＳ２９６０であり、ＤＩはＯＬＯＡ６１９４Ｅであり、およびＶＩＩはＶｉｓｃｏｐｌｅｘ６−９８５、流動点降下機能を有するポリメタアクリレート分散剤ＶＩＩであった。
【０１０３】
【表３】
2011506677.tif 000005
【０１０４】
エンジン油の燃料の経済的性能を予測するための方法の一つは、油の牽引摩擦係数を測定することによる方法である。エンジン潤滑剤の牽引摩擦係数が低いほど、大きい燃料効率を得ることができる。従って、燃料の経済的性能は牽引摩擦係数試験方法を用いて比較した。牽引摩擦データはＰＳＣ  Ｉｎｓｔｒｕｍｅｎｔ，Ｌｔｄ．からのＭＩＭ牽引摩擦測定システムを用いて得た。この装置は平坦な４６ｍｍ径の研磨済ディスク（ＳＡＥ  ＡＩＳＩ  ５２１００スチール製）に対し２４°の角度で配置されている研磨済１９ｍｍ径ボール（ＳＡＥ  ＡＩＳＩ  ５２１００スチール製）を有する装置である。測定は室温から１５０℃までの温度範囲にわたり行った。スチール製ボールおよびディスクは独立して、２個のモーターにより３．０メーター／秒の平均回転速度および４０％の滑走対回転比で駆動させた［この滑走対回転比は、ボールとディスクとの間の速度の差をボールとディスクとの平均速度で割算した数値であると定義される。ＳＲＲ＝（Ｓｐｅｅｄ１−Ｓｐｅｅｄ２）／（Ｓｐｅｅｄ１−Ｓｐｅｅｄ２）／２）］。ボール／ディスクへの荷重は２０または７５ニュートンであり、これはそれぞれ０．１８または１．２７ＧＰａの最大接触応力をもたらす。
【０１０５】
牽引摩擦係数試験方法（Ｔｒａｃｔｉｏｎ  Ｃｏｅｆｆｉｃｉｅｎｔ  Ｔｅｓｔ  Ｍｅｔｈｏｄ）に従う試験の結果は図１および図２に示されている。図１は２０ニュートンのボール／ディスク荷重を用いた試験にかかわる牽引摩擦係数対動粘度のグラフである。結果は５種の潤滑油組成物、Ｃｏｍｍｅｒｃｉａｌ  Ｓｙｎｔｈｅｔｉｃ  ０Ｗ−３０またはＰＡＯ＋Ｅｓｔｅｒ、ＰＡＯ、フィッシャー−トロプシュ由来潤滑油用基油、Ｇｒｏｕｐ  ＩＩＩおよびＧｒｏｕｐＩＩについて表３に示されている。図１に従うと、フィッシャー−トロプシュ由来潤滑油用基油試料は別種のフィッシャー−トロプシュ由来潤滑油用基油試料のいずれよりも低い牽引摩擦係数の相対傾向を示した。図２は７５ニュートンのボール／ディスク荷重を用いた試験にかかわる牽引摩擦係数対動粘度のグラフである。結果は５種の潤滑油組成物のうちの３種、ＰＡＯ＋Ｅｓｔｅｒ、ＰＡＯおよびフィッシャー−トロプシュ由来潤滑油用基油について表３に示されている。図２に従うと、フィッシャー−トロプシュ由来潤滑油用基油変種は別の被験潤滑油組成物のいずれよりも低い牽引摩擦係数の相対傾向を示した。
【０１０６】
各刊行物、特許および特許出願の記載が特定的に、また個別にその全体を引用することによって組入れられることが知られている本明細書に引用されている刊行物、特許および特許出願は、その全体を同一程度に引用することによってここに組入れる。
【０１０７】
本明細書に記載の例示的態様における多くの修正は当業者にとって容易に想到しうるものである。従って、本明細書の記載は添付されている特許請求の範囲内に入る構成および方法の全部を包含するものと解釈されるべきである。
【図１】
2011506677.tif 000006
【図２】
2011506677.tif 000007
【国際調査報告】
2011506677.tif 000008
2011506677.tif 000009